(57)【特許請求の範囲】
【請求項１】
略水平方向に延びる免震スリットにより上部が免震化された構造物について、前記免震スリットに形成された段差部を覆う免震スリットカバー構造であって、
前記段差部に取り付けられた矩形状の四方枠と、
当該四方枠の前記構造物の外部側に開閉可能に設けられた扉と、を備え、
前記四方枠は、下枠を含む第１フレームと上枠を含む第２フレームとに対角線に沿って分割され、
前記扉は、前記第１フレームにヒンジで支持され、
前記上枠の中央よりも前記ヒンジ寄りの位置には、戸当りが設けられていることを特徴とする免震スリットカバー構造。
【請求項２】
略水平方向に延びる免震スリットにより上部が免震化された構造物について、前記免震スリットに形成された段差部を覆う免震スリットカバー構造であって、
前記段差部に取り付けられた矩形状の四方枠と、
当該四方枠の前記構造物の外部側に開閉可能に設けられた扉と、を備え、
前記四方枠は、下枠を含む第１フレームと上枠を含む第２フレームとに対角線に沿って分割され、
前記扉は、前記第２フレームにヒンジで支持され、
前記下枠の中央よりも前記ヒンジ寄りの位置には、戸当りが設けられていることを特徴とする免震スリットカバー構造。
【請求項３】
前記下枠の上面は、内側よりも外側が低くなる傾斜面または段差を有することを特徴とする請求項１または２に記載の免震スリットカバー構造。
【請求項４】
前記扉の戸先側の端面は、前記構造物の外側に向かうに従って吊元から離れるように傾斜していることを特徴とする請求項１から３のいずれかに記載の免震スリットカバー構造。
【請求項５】
前記戸当りには、鉛直方向を回転軸として回転可能な滑車が設けられていることを特徴とする請求項１から４のいずれかに記載の免震スリットカバー構造。
【請求項６】
前記ヒンジは、スプリングヒンジであることを特徴とする請求項１から５のいずれかに記載の免震スリットカバー構造。
【発明の詳細な説明】
【技術分野】
【０００１】
本発明は、免震スリットカバー構造に関する。詳しくは、免震構造の構造物に設けられた免震スリットの段差部を覆う免震スリットカバー構造に関する。
【背景技術】
【０００２】
従来より、既存建物の一部を免震化することが行われている。具体的には、既存建物の中間階の柱に積層ゴムなどの免震装置を設置し、同じ階の壁に水平に免震スリットを形成して、この免震スリットより上部を免震部分とし、下部を非免震部分とする（特許文献１参照）。この免震スリットの位置は、例えば、１階柱の柱頭部と２階床との間である。
【先行技術文献】
【特許文献】
【０００３】
【特許文献１】特許第３５５１８１６号公報
【発明の概要】
【発明が解決しようとする課題】
【０００４】
ところで、建物の構造によっては、免震スリットを所定の高さの水平面のみに配することができず、一つの壁であっても、免震スリットの高さ位置が変化し、免震スリットの一部に段差部が形成される場合がある。この場合、段差部は、高さが異なり水平方向に延びる２本のスリットと、これら水平なスリットの端部同士を繋ぐ鉛直方向に延びるスリットと、で構成されることになる。地震時には、建物の免震部分が相対変位することにより段差部の幅が変化するため、鉛直方向に延びるスリットの幅は大きくなっており、これにより、段差部は矩形状となっている。
【０００５】
以上のような矩形状の段差部を塞ぐ場合、ステンレス製やゴム製の蛇腹状のカバーで覆うことが多い。
しかしながら、外部に面した壁の段差部では、これらのカバーでは、風雨が建物内に入るのを十分に防ぐことができないため、この部分を建物の内部側に大きく窪ませたり、庇を大きく張り出したりして、風雨を防ぐ工夫が必要であった。
【０００６】
一方、一般のスチール扉を段差部に設置すると、風雨が建物内に入るのを防ぐ効果は高いものの、地震時に生じる段差部の挙動に追従できずに損傷する可能性が高いうえに、扉がスリットに挟まって建物の免震性能を維持できないおそれもあった。
【０００７】
本発明は、地震時の挙動に追従しつつ、免震構造の構造物の内部に風雨が入るのを防止できる免震スリットカバー構造を提供することを目的とする。
【課題を解決するための手段】
【０００８】
請求項１に記載の免震スリットカバー構造は、略水平方向に延びる免震スリットにより上部が免震化された構造物について、前記免震スリットに形成された段差部を覆う免震スリットカバー構造であって、前記段差部に取り付けられた矩形状の四方枠と、当該四方枠の前記構造物の外部側に開閉可能に設けられた扉と、を備え、前記四方枠は、下枠を含む第１フレームと上枠を含む第２フレームとに対角線に沿って分割され、前記扉は、前記第１フレームにヒンジで支持され、前記上枠の中央よりも前記ヒンジ寄りの位置には、戸当りが設けられていることを特徴とする。
【０００９】
請求項２に記載の免震スリットカバー構造は、略水平方向に延びる免震スリットにより上部が免震化された構造物について、前記免震スリットに形成された段差部を覆う免震スリットカバー構造であって、前記段差部に取り付けられた矩形状の四方枠と、当該四方枠の前記構造物の外部側に開閉可能に設けられた扉と、を備え、前記四方枠は、下枠を含む第１フレームと上枠を含む第２フレームとに対角線に沿って分割され、前記扉は、前記第２フレームにヒンジで支持され、前記下枠の中央よりも前記ヒンジ寄りの位置には、戸当りが設けられていることを特徴とする。
【００１０】
この発明によれば、四方枠を第１フレームと第２フレームとに分割したので、第１フレームを段差部の非免震部分に取り付け、第２フレームを段差部の免震部分に取り付けることで、地震時の挙動に追従できる。
また、四方枠を扉で塞ぐので、風雨が構造物の内部に入るのを防止できるうえに、防犯効果を高めることができる。
【００１１】
また、扉を第１フレームで支持して、上枠の中央よりもヒンジ寄りの位置に戸当りを設ける。あるいは、扉を第２フレームで支持して、下枠の中央よりもヒンジ寄りの位置に戸当りを設ける。よって、地震時に第２フレームが相対変位して、この第２フレームにより扉が押圧されても、戸当りがあるために、扉の開き方向が規制されて構造物の外側に向かって開くことになる。よって、扉を含む段差部が損傷するのを防止できる。ひいては、地震時においても、構造物の免震性能を維持できる。
【００１２】
請求項３に記載の免震スリットカバー構造は、前記下枠の上面は、内側よりも外側が低くなる傾斜面または段差を有することを特徴とする。
【００１３】
この発明によれば、下枠の上面に、内側よりも外側が低くなる傾斜面または段差を設けた。よって、扉による密閉効果を高めるとともに、雨水が扉や下枠を伝って構造物の内部に浸入するのを防止できる。
【００１４】
請求項４に記載の免震スリットカバー構造は、前記扉の戸先側の端面は、前記構造物の外側に向かうに従って吊元から離れるように傾斜していることを特徴とする。
【００１５】
この発明によれば、戸先側の端面を、構造物の外側に向かうに従って吊元から離れるように傾斜させた。よって、地震時に第２フレームが相対変位して、この第２フレームにより扉が押圧されても、戸先側の端面が傾斜しているため、第２フレームの押圧力を内側に逃がして、構造物の外側に向かって開くことになる。よって、扉が損傷するのを防止できる。
【００１６】
請求項５に記載の免震スリットカバー構造は、前記戸当りには、鉛直方向を回転軸として回転可能な滑車が設けられていることを特徴とする。
【００１７】
この発明によれば、戸当りに滑車を設けたので、地震時に扉が戸当りに対して相対変位しても、扉が戸当りに対して円滑に摺動できる。
【００１８】
請求項６に記載の免震スリットカバー構造は、前記ヒンジは、スプリングヒンジであることを特徴とする。
【００１９】
この発明によれば、ヒンジをスプリングヒンジとしたので、このスプリングヒンジにより扉が閉じる方向に付勢されるから、扉が閉じた状態を容易に維持して、風雨が構造物の内部に入るのを確実に防止できるうえに、防犯効果がさらに高まる。
【発明の効果】
【００２０】
本発明によれば、四方枠を第１フレームと第２フレームとに分割したので、第１フレームを段差部の非免震部分に取り付け、第２フレームを段差部の免震部分に取り付けることで、地震時の挙動に追従できる。また、四方枠を扉で塞ぐので、風雨が構造物の内部に入るのを防止できるうえに、防犯効果が高まる。
【図面の簡単な説明】
【００２１】
【図１】本発明の一実施形態に係る免震スリットカバー構造が適用された建物のエントランス部分の正面図である。
【図２】前記実施形態に係る建物の段差部の正面図である。
【図３】前記実施形態に係る段差部の横断面図である。
【図４】前記実施形態に係る段差部の縦断面図である。
【図５】前記実施形態に係る段差部の地震前の状態を示す斜視図である。
【図６】前記実施形態に係る段差部の地震時の挙動を示す斜視図（その１）である。
【図７】前記実施形態に係る段差部の地震時の挙動を示す斜視図（その２）である。
【図８】前記実施形態に係る段差部の地震時の挙動を示す斜視図（その３）である。
【発明を実施するための形態】
【００２２】
以下、本発明の一実施形態について、図面を参照しながら説明する。
図１は、本発明の一実施形態に係る免震スリットカバー構造が適用された構造物としての建物１のエントランス部分の正面図である。
【００２３】
建物１は、中間階で免震化された既存建物であり、この建物１の１階外壁の所定の高さ（床面からの高さＡ）には、免震スリット１０が形成されている。これにより、この免震スリット１０より上側が免震部分１１であり、下側が非免震部分１２となっている。この免震スリット１０は、建物１を水平に切断するように全ての壁に形成され、外壁については、略水平に延びて、建物１の外周を一周している。
【００２４】
建物１のエントランス部分には、大型の玄関サッシ２０が取り付けられている。
玄関サッシ２０は、ステンレス製であり、外枠２１と、この外枠２１に開閉可能に支持された玄関扉２２と、を備える。
【００２５】
この玄関サッシ２０の外枠２１の上端は、免震スリット１０の所定の高さＡよりも高い位置にある。そのため、玄関サッシ２０部分の免震スリット１０Ａは、玄関サッシ２０の外枠２１上側（床面からの高さＢ）に位置している。
【００２６】
よって、玄関サッシ２０の両側には、床面からの高さＡで水平方向に延びる免震スリット１０と床面からの高さＢで水平方向に延びる免震スリット１０Ａとの間で段差部１３が形成される。
【００２７】
以下、図１中左側の段差部１３についてのみ説明するが、図１中右側の段差部１３についても、この図１中左側の段差部１３と同様の構成である。
図２は、段差部１３の正面図、図３は、段差部１３の横断面図、図４は、段差部１３の縦断面図である。
【００２８】
段差部１３には、矩形状の四方枠３１と、この四方枠３１の建物１の外部側に開閉可能に設けられた扉３２と、四方枠３１の建物１の内部側に設けられた内カバー３３と、四方枠３１の内部に設けられた耐火材３４と、が設けられている。
【００２９】
四方枠３１は、スチール製であり、対角線に沿って第１フレーム４０と第２フレーム５０とに二分割されている。
【００３０】
第１フレーム４０は、段差部１３の非免震部分１２に取り付けられ、略水平方向に延びる下枠４１と、この下枠４１の一端から上方に向かって延びる縦枠４２と、を備える。
下枠４１の上面は、建物１の外側に向かうに従って下方に向かう傾斜面と段差とを有している。これにより、下枠４１の外側は、内側よりも低くなっている。
また、縦枠４２には、スプリングヒンジ４３が取り付けられている。
【００３１】
扉３２は、スチール製であり、スプリングヒンジ４３を介して縦枠４２に支持されている。この扉３２は、スプリングヒンジ４３により閉じる方向に付勢されている。
また、この扉３２の下面には、扉３２の内部に浸入した雨水を排出するための水抜き孔３２１が形成されている。
また、扉３２の戸先側の端面３２Ａは、建物１の外側に向かうに従って吊元から離れるように傾斜している。
【００３２】
第２フレーム５０は、段差部１３の免震部分１１に取り付けられ、略水平方向に延びる上枠５１と、この上枠５１の一端から下方に向かって延びる縦枠５２と、を備える。
第２フレーム５０の上枠５１の中央よりもスプリングヒンジ４３寄りの位置には、戸当り５３が設けられている。この戸当り５３には、鉛直方向を回転軸として回転可能な滑車５３１が設けられている。
【００３３】
また、第２フレーム５０の縦枠５２には、扉３２を閉じた状態で保持するマグネットキャッチ５４が設けられている。
【００３４】
内カバー３３は、スチール製であり、蛇腹状に形成されて水平方向に伸縮可能な構造である。この内カバー３３の上下には、ゴム製の板材３３１が取り付けられている。この内カバー３３は、四方枠３１の建物１の内部側で、第１フレーム４０の縦枠４２と第２フレーム５０の縦枠５２とに跨って設けられている。
この内カバー３３は、地震時に第１フレーム４０の縦枠４２と第２フレーム５０の縦枠５２とが相対変位しても、水平方向に伸縮することで、この地震時の建物１の挙動に追従できるようになっている。
【００３５】
耐火材３４は、セラミックファイバであり、蛇腹状に形成されて水平方向に伸縮可能な構造である。この耐火材３４は、四方枠３１の内部で第１フレーム４０の縦枠４２と第２フレーム５０の縦枠５２とに跨って設けられている。
この耐火材３４は、地震時に第１フレーム４０の縦枠４２と第２フレーム５０の縦枠５２とが相対変位しても、水平方向に伸縮することで、この地震時の建物１の挙動に追従できるようになっている。
【００３６】
次に、段差部１３の扉３２の地震時の動作について説明する。
地震前の状態では、図５に示すように、扉３２は、スプリングヒンジ４３により閉じる方向に付勢されて、戸当り５３に当接しつつ、マグネットキャッチ５４により保持されている。
【００３７】
この状態から、免震部分１１が建物１の外側に向かって相対変位する場合を想定する。この場合、図６に示すように、扉３２が戸当り５３に押されるので、この扉３２は、マグネットキャッチ５４から外れて開く。この状態でも、スプリングヒンジ４３により閉じる方向に付勢されているので、扉３２の開度が小さくなっている。
【００３８】
次に、図５に示す状態から、免震部分１１が建物１の外壁面に沿って第１フレーム４０と第２フレーム５０とが離隔する方向に相対変位する場合を想定する。この場合、図７に示すように、扉３２がマグネットキャッチ５４から外れるが、この状態でも、扉３２が戸当り５３に当接するため、扉３２が四方枠３１の内部側に入り込まないようになっている。
【００３９】
次に、図５に示す状態から、免震部分１１が建物１の外壁面に沿って第１フレーム４０と第２フレーム５０とが接近する方向に相対変位する場合を想定する。この場合、図８に示すように、扉３２が第２フレーム５０に押圧されるが、戸当り５３および扉３２の戸先側の端面３２Ａにより、扉３２は建物１の外側に向かって開く。
【００４０】
本実施形態によれば、以下のような効果がある。
（１）四方枠３１を第１フレーム４０と第２フレーム５０とに分割したので、第１フレーム４０を段差部１３の非免震部分１２に取り付け、第２フレーム５０を段差部１３の免震部分１１に取り付けることで、地震時の挙動に追従できる。
また、四方枠３１を扉３２で塞ぐので、風雨が建物１の内部に入るのを防止できるうえに、防犯効果を高めることができる。
【００４１】
また、扉３２を第１フレーム４０で支持して、第２フレーム５０の上枠５１の中央よりもスプリングヒンジ４３寄りに戸当り５３を設けるとともに、扉３２の戸先側の端面３２Ａを、建物１の外側に向かうに従って吊元から離れるように傾斜させた。よって、地震時に第２フレーム５０が相対変位して、この第２フレーム５０の縦枠５２により扉３２の端面が押圧されても、戸当り５３により扉３２の開き方向が規制されるとともに、扉３２の戸先側の端面３２Ａが傾斜しているために、第２フレーム５０の押圧力を内側に逃がすことになる。よって、扉３２が四方枠３１の内部側入り込まずに、建物１の外側に向かって開くことになる。よって、扉３２を含む段差部１３が損傷するのを防止できる。ひいては、地震時においても、建物１の免震性能を維持できる。
【００４２】
（２）下枠４１の上面に、内側よりも外側が低くなる傾斜面および段差を設けた。よって、扉３２による密閉効果を高めるとともに、雨水が扉３２や下枠４１を伝って建物１の内部に浸入するのを防止できる。
【００４３】
（３）戸当り５３に滑車５３１を設けたので、地震時に扉３２が戸当り５３に対して相対変位しても、扉３２が戸当り５３に対して円滑に摺動できる。
【００４４】
（４）ヒンジをスプリングヒンジ４３としたので、このスプリングヒンジ４３により扉３２が閉じる方向に付勢されるから、扉３２が閉じた状態を容易に維持して、風雨が建物１の内部に入るのを確実に防止できるうえに、防犯効果をさらに高めることができる。
【００４５】
なお、本発明は前記実施形態に限定されるものではなく、本発明の目的を達成できる範囲での変形、改良等は本発明に含まれるものである。
【符号の説明】
【００４６】
１…建物（構造物）
１０、１０Ａ…免震スリット
１１…免震部分
１２…非免震部分
１３…段差部
２０…玄関サッシ
２１…外枠
２２…玄関扉
３１…四方枠
３２…扉
３２Ａ…戸先側の端面
３３…内カバー
３４…耐火材
４０…第１フレーム
４１…下枠
４２、５２…縦枠
４３…スプリングヒンジ
５０…第２フレーム
５１…上枠
５３…戸当り
５４…マグネットキャッチ
３２１…水抜き孔
３３１…板材
５３１…滑車
【図１】
0005479393.tif 000002
【図２】
0005479393.tif 000003
【図３】
0005479393.tif 000004
【図４】
0005479393.tif 000005
【図５】
0005479393.tif 000006
【図６】
0005479393.tif 000007
【図７】
0005479393.tif 000008
【図８】
0005479393.tif 000009